【手続補正書】
【提出日】平成20年2月22日(2008.2.22)
【手続補正１】
【補正対象書類名】特許請求の範囲
【補正対象項目名】全文
【補正方法】変更
【補正の内容】
【特許請求の範囲】
【請求項１】
少なくとも、撮影した画像とその画像撮影時の端末の位置を示すデータとを収集して送信する情報収集端末と、
上記情報収集端末から送信されてきた画像及び位置のデータを蓄積するデータベース装置と、
上記データベース装置のデータに対する価値判断と整理を行うために、当該データベース装置に蓄積されているデータに対してオークション形式で仮入札を行う仮入札装置と、
上記仮入札装置での仮入札により価値判断と整理が行われたデータを、所定のデータオークションシステムへ出品するデータオークション装置とを有する
ことを特徴とする情報収集提供システム。
【請求項２】
上記データオークション装置により出品されたデータのうち、上記所定のデータオークションシステムで落札されなかったデータに対して所定のデータ加工若しくはマージ処理を施す加工装置を有し、
上記データオークション装置は、上記加工装置による加工若しくはマージ処理後のデータを、再度上記所定のデータオークションへ出品することを特徴とする請求項1記載の情報収集提供システム。
【請求項３】
上記情報収集端末から送信されてきた画像と位置の少なくとも何れかに対する修正依頼情報を生成する修正依頼生成手段と、当該修正依頼情報を上記情報収集端末宛に送信する通信手段と、上記修正依頼情報に応じて上記情報収集端末から送られてきたデータにより上記画像と位置の少なくとも何れかを修正若しくは上記データベース装置の蓄積データを差し替える修正手段と、上記データベース装置に蓄積されたデータをデータ要求者へ提供するデータ提供手段とを少なくとも備えたデータ管理装置を有することを特徴とする請求項1又は請求項2記載の情報収集提供システム。
【請求項４】
上記データ管理装置は、複数若しくは一つの情報収集端末から送信されてきた複数のデータから、重複したデータを排除して上記データベース装置へ蓄積させる制御を行うことを特徴とする請求項3記載の情報収集提供システム。
【請求項５】
上記データ管理装置は複数の位置修正基準点を含む地図データベースを備え、上記修正手段は、上記情報収集端末から送られてきた位置を、上記地図データベースの位置修正基準点に基づいて修正することを特徴とする請求項3又は請求項4記載の情報収集提供システム。
【請求項６】
上記データ管理装置は、所望の情報の収集を要求するためのリクエスト情報を、情報収集端末に宛てた電子メール、若しくは、情報収集端末により閲覧可能なインターネット上のサイトへの掲示により、上記情報収集端末へ通知することを特徴とする請求項3乃至請求項5のうち、何れか一項に記載の情報収集提供システム。
【請求項７】
少なくとも、撮影した画像のデータとその画像撮影時の端末の位置を示すデータとを収集して送信する情報収集端末と、
上記情報収集端末から送信されてきた画像及び位置のデータを蓄積するデータベース装置と、
上記情報収集端末から送信されてきた画像と位置の少なくとも何れかに対する修正依頼情報を生成する修正依頼生成手段と、当該修正依頼情報を上記情報収集端末宛に送信する通信手段と、上記修正依頼情報に応じて上記情報収集端末から送られてきたデータにより上記画像と位置の少なくとも何れかを修正若しくは上記データベース装置の蓄積データを差し替える修正手段と、上記データベース装置に蓄積されたデータをデータ要求者へ提供するデータ提供手段とを少なくとも備えたデータ管理装置とを有する
ことを特徴とする情報収集提供システム。
【請求項８】
上記データ管理装置は、複数若しくは一つの情報収集端末から送信されてきた複数のデータから、重複したデータを排除して上記データベース装置へ蓄積させる制御を行う重複排除制御手段を有することを特徴とする請求項7記載の情報収集提供システム。
【請求項９】
上記データ管理装置は、複数の位置修正基準点を含む地図データベースを備え、
上記修正手段は、上記情報収集端末から送られてきた位置を、上記地図データベースの位置修正基準点に基づいて修正することを特徴とする請求項7又は請求項8記載の情報収集提供システム。
【請求項１０】
上記データ管理装置は、所望の情報の収集を要求するためのリクエスト情報を、情報収集端末に宛てた電子メール情報として生成、又は、情報収集端末により閲覧可能なインターネット上のサイトへの掲示情報として生成するリクエスト情報生成手段を有することを特徴とする請求項7乃至請求項9のうち、何れか一項に記載の情報収集提供システム。
【請求項１１】
少なくとも、撮影した画像のデータとその画像撮影時の端末の位置を示すデータとを収集して送信する複数の情報収集端末と、
複数の情報収集端末から送信されてきた略々同じ地域の複数の画像及び位置のデータを蓄積するデータベース装置と、
上記データベース装置に蓄積された上記略々同じ地域の複数の画像及び位置のデータを、所定の機関へ即時提供するデータ管理装置とを有する
ことを特徴とする情報収集提供システム。
【請求項１２】
少なくとも、撮影した画像のデータとその画像撮影時の端末の位置を示すデータとを情報収集端末が収集してデータ管理装置へ送信するステップと、
上記情報収集端末が収集した画像及び位置のデータをデータベース装置に蓄積するステップと、
上記情報収集端末が収集した画像と位置の少なくとも何れかに対する修正依頼情報を、データ管理装置の修正依頼生成手段が生成するステップと、
上記修正依頼生成手段が生成した修正依頼情報をデータ管理装置の通信手段が上記情報収集端末宛に送信するステップと、
上記修正依頼情報に応じて上記情報収集端末から送られてきたデータを用いて、データ管理装置の修正手段が、上記画像と位置の少なくとも何れかを修正若しくは上記データベース装置の蓄積データを差し替えるステップと、
上記データベース装置に蓄積されたデータを、データ管理装置のデータ提供手段が、データ要求者へ提供するステップとを有する
ことを特徴とする情報収集提供方法。
【請求項１３】
複数若しくは一つの情報収集端末から送信されてきた複数のデータから、上記データ管理装置の重複制御手段が、重複したデータを排除して上記データベース装置へ蓄積させる制御を行うステップを有することを特徴とする請求項12記載の情報収集提供方法。
【請求項１４】
上記データ管理装置が備える地図データベースに蓄積されている位置修正基準点に基づいて、上記修正手段が、上記情報収集端末から送られてきた位置を修正するステップを有することを特徴とする請求項12又は請求項13記載の情報収集提供方法。
【請求項１５】
所望の情報の収集を要求するためのリクエスト情報を、上記データ管理装置のリクエスト情報生成手段が、上記情報収集端末に宛てた電子メール情報として生成、若しくは、情報収集端末により閲覧可能なインターネット上のサイトへの掲示情報として生成するステップを有することを特徴とする請求項12乃至請求項14のうち、何れか一項に記載の情報収集提供方法。
【請求項１６】
少なくとも、撮影した画像のデータとその画像撮影時の端末の位置を示すデータとを情報収集端末が収集してデータ管理装置へ送信するステップと、
上記情報収集端末が収集した画像及び位置のデータをデータベース装置に蓄積するステップと、
上記データベース装置のデータの価値判断と整理を行うために、当該データベース装置に蓄積されているデータを、仮入札装置がオークション形式で仮入札するステップと、
上記仮入札装置での仮入札により価値判断と整理が行われたデータを、オークション管理装置が所定のデータオークションシステムへ出品するステップとを有する
ことを特徴とする情報収集提供方法。
【請求項１７】
上記オークション管理装置により出品されたデータのうち、上記所定のデータオークションシステムで落札されなかったデータに対して、加工装置が所定のデータ加工若しくはマージ処理を施すステップを有し、
上記加工装置による加工若しくはマージ処理後のデータを、上記オークション管理装置が、再度上記所定のデータオークションへ出品するステップを有することを特徴とする請求項16記載の情報収集提供方法。
【請求項１８】
上記情報収集端末が収集した画像と位置の少なくとも何れかに対する修正依頼情報を、データ管理装置の修正依頼生成手段が生成するステップと、
上記修正依頼生成手段が生成した修正依頼情報を、データ管理装置の通信手段が上記情報収集端末宛に送信するステップと、
上記修正依頼情報に応じて上記情報収集端末から送られてきたデータを用いて、データ管理装置の修正手段が、上記画像と位置の少なくとも何れかを修正若しくは上記データベース装置の蓄積データを差し替えるステップと、
上記データベース装置に蓄積されたデータを、データ管理装置のデータ提供手段が、データ要求者へ提供するステップとを有することを特徴とする請求項16又は請求項17記載の情報収集提供方法。
【請求項１９】
複数若しくは一つの情報収集端末から送信されてきた複数のデータから、上記データ管理装置の重複制御手段が、重複したデータを排除して上記データベース装置へ蓄積させる制御を行うステップを有することを特徴とする請求項18記載の情報収集提供方法。
【請求項２０】
上記データ管理装置が備える地図データベースに蓄積されている位置修正基準点に基づいて、上記修正手段が、上記情報収集端末から送られてきた位置を修正するステップを有することを特徴とする請求項18又は請求項19記載の情報収集提供方法。
【請求項２１】
所望の情報の収集を要求するためのリクエスト情報を、上記データ管理装置のリクエスト情報生成手段が、上記情報収集端末に宛てた電子メール情報として生成、若しくは、情報収集端末により閲覧可能なインターネット上のサイトへの掲示情報として生成するステップを有することを特徴とする請求項18乃至請求項20のうち、何れか一項に記載の情報収集提供方法。
【請求項２２】
少なくとも、撮影した画像のデータとその画像撮影時の端末の位置を示すデータとを、複数の情報収集端末が収集してデータ管理装置へ送信するステップと、
複数の情報収集端末から送信されてきた略々同じ地域の複数の画像及び位置のデータをデータベース装置に蓄積するステップと、
上記データベース装置に蓄積された上記略々同じ地域の複数の画像及び位置のデータを、データ管理装置が所定の機関へ即時提供するステップとを有する
ことを特徴とする情報収集提供方法。
【手続補正２】
【補正対象書類名】明細書
【補正対象項目名】０００９
【補正方法】変更
【補正の内容】
【０００９】
本願に係る発明は上記課題を解決すべくなされたものであり、本発明は、少なくとも、撮影した画像のデータとその画像撮影時の端末の位置を示すデータとを情報収集端末が収集してデータ管理装置へ送信し、上記情報収集端末が収集した画像及び位置のデータをデータベース装置に蓄積する。また、上記データベース装置のデータの価値判断と整理を行うために、当該データベース装置に蓄積されているデータを、仮入札装置がオークション形式で仮入札し、その仮入札装置での仮入札により価値判断と整理が行われたデータを、オークション管理装置が所定のデータオークションシステムへ出品する。
【手続補正３】
【補正対象書類名】明細書
【補正対象項目名】００１０
【補正方法】変更
【補正の内容】
【００１０】
このような本発明によれば、情報収集端末が収集したデータについて、仮入札装置での仮入札により、データベース装置のデータに対する価値判断と整理を行うことで、より市場ニーズに合ったデータをデータオークションシステムへ出品することができる。
【手続補正４】
【補正対象書類名】明細書
【補正対象項目名】００１１
【補正方法】変更
【補正の内容】
【００１１】
また、本発明においては、上記情報収集端末が収集した画像と位置の少なくとも何れかに対する修正依頼情報を、データ管理装置の修正依頼生成手段が生成し、その修正依頼情報をデータ管理装置の通信手段が上記情報収集端末宛に送信する。そして、その修正依頼情報に応じて上記情報収集端末から送られてきたデータを用いて、データ管理装置の修正手段が、上記画像と位置の少なくとも何れかを修正若しくは上記データベース装置の蓄積データを差し替え、当該データベース装置に蓄積されたデータを、データ管理装置のデータ提供手段がデータ要求者へ提供する。
【手続補正５】
【補正対象書類名】明細書
【補正対象項目名】００１２
【補正方法】変更
【補正の内容】
【００１２】
このような本発明によれば、情報収集端末が収集したデータが不正確なデータである場合に、当該データを正確なデータに修正でき、また、情報収集端末が収集したデータが市場ニーズから外れている場合に、当該データを市場ニーズに合ったデータに修正できる。